【手続補正書】
【提出日】平成26年12月30日(2014.12.30)
【手続補正１】
【補正対象書類名】特許請求の範囲
【補正対象項目名】請求項１
【補正方法】変更
【補正の内容】
【請求項１】
排便袋装着中に肌にガイドシールリング（１）を吸着させて排便袋、冷却袋（３）、傷口等をキャップ（２）で覆い吸着力の微調整を計れる構成よりなる、温泉入浴装具。
【手続補正２】
【補正対象書類名】明細書
【補正対象項目名】０００１
【補正方法】変更
【補正の内容】
【０００１】この発明は、排便袋を装着中に肌にシール面を吸着させ覆い密封性をはかり、キャップで吸着力の微調整をする、又冷却袋使用で毎日長湯入浴を楽しめる、ストーマ保有者のハンデを克服し億刧感なく気軽に楽しめる温泉入浴装具に関する物である。
【手続補正３】
【補正対象書類名】明細書
【補正対象項目名】０００２
【補正方法】変更
【補正の内容】
【０００２】従来のストーマ保有者の入浴装具では入浴シートを直にストーマ出口を塞ぎお腹面に貼付け、又は市販面板（ツ−ピ−スタイプ）と排便袋を分割したジョイント部にキャップを接続するようになっている。
【手続補正４】
【補正対象書類名】明細書
【補正対象項目名】０００３
【補正方法】変更
【補正の内容】
【０００３】これは、次のような欠点があった。
従来の入浴シートで直にスト−マ出口を塞ぎお腹面に貼付けるのは入浴時長湯すると湯温と汗で接着力が低下して排便圧で便が流れ出る不安が有りもし入浴中に排便が起きていたらテープを剥がすと排便が洩れるので剥がせない困難な状態になる、又装具費用上スト−マ装具取替時にしか入浴出来ないので４、５日に１回割位にしか入浴できない事になる課題があった、夏の季節には特に困った。又市販面板（ツ−ピ−スタイプ）と排便袋を分割した所のジョイントへ変わりにキャップ側のジョイントと接続するやり方が有るがワンピ−スタイプには適用できない事が課題でもあり、たとえばツーピースタイプを使用している人が使用したとしても入浴時キャップに取替えるのは排便装具を装着中なら汚れている場合がほとんどなので面板側への取替えは容易にはできない欠点がある事と、たとえば風呂上り後に使用したキャップを取外して再度使用していた排便袋を再度ジョイントに取付ける時にもしも排便がおきていればキャップの中は排便が充満している事も有り得るのでうっかりはずせば大変な事態が起きるので簡単にはいかない事が課題になる。タイミングよく排便袋へのジョイント取付けが出来たとしてもキャップは使い捨てでは無いので汚れていますと入浴施設等では持ち帰りは容易では無い事も課題であり。市販面板が濡れるので長湯が出来ない上に着替え時後接着力の低下にも不安が残り乾くまで時間がかかるのでいつでもどこでも手軽に入浴とは行かないので億劫になります。
本装具は長湯入浴する時に冷却袋を使用して装着中の排便袋を空にして折りたたみ上からポンとキャップで覆い吸着させ強弱の微調整をするだけの事なので毎日の入浴も簡単に躊躇感が無く長湯入浴を楽しむ事ができる、キャップの取外しも楽であり、市販面板、排便袋及び傷口等が濡れていないので着替えも簡単にできる。入浴中に排便があっても通常に使用中時の状態と変わらず同じで有りキャップと二段構えになるのと市販面板が濡れないので接着力が低下する心配も無いので安心である、又温泉施設等では１００％密封性が要求されるのは当然であるが本考案なら排便袋装着中に冷却袋をキャップの内に収納して使用する事でストーマ保有者のハンデを克服して億劫感が無く毎日長湯入浴を気軽に楽しめる可能性も出来るので明るい展望が生まれる。
本発明は以上のような欠点を無くす為になされた物である。
【手続補正５】
【補正対象書類名】明細書
【補正対象項目名】０００４
【補正方法】変更
【補正の内容】
【０００４】ガイドシ−ルリング（１）にキャップ（２）を［図１］“Ａ”−“Ａ”断面上半分の様な状態にネジ部を突き当たった所まで組込まれた物を取付け時に装着中の排便袋を空にして小さく折りたたみキャップ（２）の中に収納して収納後吸着面をお腹へキャップの全面に手で均等にお腹面に押付けて肌に接する面を吸着する様にしてキャップ（２）を回転する事によりキャップ内周の雌ネジ部によりストロークされ吸着力の強弱を微調整する事で最良の位置をさがし位置決めをする事が出来る。［図１］の“ａ”、“ｂ”部詳細に記載している通気口弁（４）（５）は薄いフィルムシートで設けて一点部をガイドシールリング（１）側に接着する事により差圧で敏感に二室の仕切り弁の役目を果たしお腹面との吸着力をキャップの回転で強弱の微調整が出来る、“ａ”、“ｂ”の位置関係は周上に等分になる様に交互に数ヶ所を設け均等に吸引及び戻しができる様に配置する。吸引及び戻しをやめると差圧ですかさず（４）（５）通気口弁が作動して閉止する仕組みである。又長湯をしたい時は冷却袋（３）に水を注入しキャップの中に収納する、湯温で市販面板の接着面が汗で剥がされない様に冷却袋（３）を市販面板に直接接触する様にキャップ（２）の中へ収納する事が湯温、汗で接着力を低下させない冷却ジャケットの役目を果たし多少の長湯を楽しむ事ができる、長湯でない時シャワーのアビ時は冷却袋（３）は使用しなくても面板が濡れないので接着力は低下しないので安心出来る。お湯、空気の洩れを遮断するシール部分に関しては［図１］の”ａ”部詳細の中の“ｄ”部詳細の様に内周も外周も二山に３０°傾斜をつけて差込巾より少し大き目にはみ出す様にしておいて組込み時挿入する時押込む様にする事で本図のごとくアール状になりそれが元に戻ろうとする反力が常に働きシール性が高まり空気、お湯の洩れを防ぐ、よって空気、お湯との密封性が確保されて。手軽に何時何処でも温泉を楽しむ事が出来る他人には目立たないようにタオルを上に手で覆うようにすれば自然で回りの人を気にせずゆっくり長湯を楽しむ事が出来る、簡単に密封性が確保できて入浴後も市販面板、排便袋は濡れない事が服の着替え時もキャップを取除くのみで簡単に入浴前にすぐ戻れる状態になるので手軽に使いこなせて全てのストーマ保有者の方に利便性がある。
本発明は以上の構成によりなる温泉入浴装具である。
【手続補正６】
【補正対象書類名】明細書
【補正対象項目名】０００５
【補正方法】変更
【補正の内容】
【０００５】ストーマ保有者の持つ諸々のハンデの一部で有る入浴を克服する為の入浴装具です。
ストーマ保有者は装具費用上装具取替え時にしか入浴が出来ない実情から４、５日に１回割位になり毎日入浴出来ないので疲れが蓄積され心にも健康にも良く有りません、
2013169452.tif 000001
イドシールリングとキャップをネジで組込み突き当たった所まで組合せておき、使用中の排便袋を空にして小さく折りたたみキャップ内に収納して吸着面をお腹に当てて全面に押付けてキャップの回転で肌との吸着力の微調整ができる、長湯したい時はキャップ内に冷却袋に水を入れて面板に接触させる様に収納する事から湯温度で汗をかき市販面板の接着力が低下させるのを防ぎ長湯を楽しめる、簡単に密封性が確保されて市販面板、排便袋も濡れずキャップも簡単に取外す事が出来る。入浴前にすぐ戻れるので着替えも簡単に出来るので気軽に毎日でも入浴する事が出来る、排便洩れに関しては通常の排便袋を使用中時の状態と変わらない同じでありキャップと二段構えになり市販面板が濡れない事で接着力が低下する心配も無いのが安心安全を生み出し誰にも迷惑かける事無くストーマ保有者の持っているハンデの一部である入浴を克服して健康な人達と変わらない気持ちで気軽に温泉施設等での入浴も可能になりえる期待感が持てる、人生に楽しみが増え明るい展望が開けるものである。
本温泉入浴装具は以上のような構成です。
【手続補正７】
【補正対象書類名】明細書
【補正対象項目名】０００６
【補正方法】変更
【補正の内容】
【０００６】以下、本発明を実施するための最良の形態について説明する。
ガイドシ−ルリング（１）はやや硬質のシリコンゴムを使用して外周に雄ネジを切ってシール部最小内径の周りが市販面板外形より少し大き目にする事で市販面板を全て覆う様にする、外周部にアクリル製のキャップ（２）の内周に雌ネジを切った物を設ける、使用の手順はガイドシールリング（１）とキャップ（２）は内周に雌ネジを切ったネジ部を組込む時一番奥までねじ込み突き当たった所が隙間ゼロの状態で吸引のストロークの始まりであり、組込み後使用中の排便袋を空にして折りたたみキャップ内に収納した後にシール面を市販面板外径周りに当たらない様にしてお腹面に押付けてキャップ（２）を回転する事でストロークされ吸着力の強弱の微調整をして丁度良い状態で位置決めをして使用する、（１）、（２）は双方の材質上滑りが悪く心配はないと思いますが万が一の時に困るのでその時の対処に誤ってキャップ（２）に少しぐらい手が触れても緩まない様にキャップの雌ネジ部一点に軟質のシリコーンの薄い膜を塗布してネジ部の滑りを悪くするのと同時にネジ部のギャップ（遊び）が大きくならない様にする事で逆転防止及びお湯、空気の洩れに対するシール性をはかる。長湯したい時はビニール性の冷却袋（３）の注水口に水を入れて注水口を三つ折りにしてマジックテープで封じ込め二股になっているところを広げて排便袋を空にしておいて折りたたむ前にストーマの上の方から市販面板と排便袋との間にストーマを包む様に落とし込む様に差し入れて市販面板全面に接触する様に配置するそれから排便袋を折りたたみキャップの中に収納する事で汗が市販面板の接着面の接着力の低下するのを防ぐ為冷却ジャケットの役目を果たしてくれるので安心して長湯を楽しむ事ができる。長湯しない他シャワーあびの場合は冷却袋（３）は使用しなくても面板が濡れないのと汗をかかない事で接着力は低下しないので安心して大丈夫である。
冷却袋、注水口は排便袋の排便排出口と同じ要領の物を考えています。［図１］の“ａ”部詳細部に記載している通気口弁は薄い円板形のようなフィルムシート（４）を変芯させて一点部をガイドシールリング（１）側に接着する事で吸引した時に圧が片持ちになりめくりやすい様にする為に吸引穴を中心にフィルムシート（４）を変芯させて外周部の下面は図の様に一段低くなる様凹ませる事により吸引した時に下面から圧でフィルムシート（４）を片持ちで押上げめくりやすい様にする事により差圧が敏感に二室の通気口仕切り弁の役目を果たしお腹面との吸着力をキャップの回転でストロークされ自在に強弱の微調整が出来る、“ａ”、“ｂ”の位置関係は周上に等分になる様に交互に数ヶ所通気口穴を設け均等に吸引及び戻しができる様に配置する。［図１］“ａ”、“ｂ”部詳細の中で“ｃ”枠部の外周の太線部に当たる部分は軟質シリコーン液を塗布する事で密着性が上り滑らないのでシール性を高める、キャップの回転を止めると差圧で（４）、（５）の通気口弁が作動して閉止して位置決めが出来る。［図１］“ｂ”部詳細の中で“ｅ”部詳細の“ｆ”−“ｆ”矢視の中で“ｇ１”−“ｇ１”断面は吸引用通気口で“ｇ２”−“ｇ２”断面は吸引と戻し兼用の物で有り吸い過ぎた分を戻すとフィルムシート（５）の全平面に圧が等分布に起きるのでフィルムシート（５）の先端部を押上げめくりやすい様に八ッチングの凹み部“ｈ”下部に圧力が集中する様に平面、側面ともに傾斜をつけて本図の様な形状にした物をガイドシールリング（１）の先端表面に凹みを付けておけば平面績がフィルムシートの半分位としても圧の流
2013169452.tif 000002
のでしかも片持ちで押上げめくり上げるので１／２位の力で充分押上げる事が出来る、吸引及び戻しをやめるとすかさず“ｇ１”−“ｇ１”、“ｇ２”−“ｇ２”断面の様に通気口弁フィルムシート（５）が敏感に作動して閉止する仕組みである、お湯、空気を遮断するシール部に関しては［図１］の“ａ”部詳細の中の“ｄ”部詳細の様に内周も外周も二山に３０°傾斜をつけて切込、差込巾より少し大き目にはみ出す様にして組込み時に挿入する時押込む様にする事で本図のごとくアール状になりそれが元に戻ろうとする反力が常に働きシール性が確保できる、完璧に空気、お湯を遮断する、洩れが生じれば場合によっては二山の溝にゼリー状の油脂でも充填しておけば完全密封する為には尚良いと考えている、二山にした事で完全なシール性が確保される、ストーマ保有者は装具費用上取替時にしか入浴出来ないので４、５日に１回割位にしか入浴出来ないのが実情であり健康上良く有りません何時何処でも手軽に入浴シャワーアビを楽しむ事が出来る、他人には目立たぬ様にタオルを上に手で覆う様にすれば自然で周りの人に気きずかれずゆっくり入浴する事が出来る。簡単に密封性が確保できて入浴後も市販面板、排便袋、傷口等が濡れないので服の着替えもキャップを取除くのみで入浴前にすぐ戻れて市販面板装具も濡れていないので着替えも楽になり手軽に使いこなせる利便性がある。入浴中に排便があっても通常の使用状態と変わらず同じで有りキャップと二段構えになるのと市販面板、排便袋、が濡れないので接着力が低下する心配も無いので安心感が有る上に、本装具は長湯入浴する時には冷却袋を使用して装着中の排便袋を空にして折りたたみ共に上からポンとキャップで覆い吸着させ強弱の微調整するだけでストーマ保有者の持つ諸々のハンデの一部で有る入浴を克服して億刧感がなく毎日気軽に長湯入浴も楽しむ事が出来る又、温泉施設等心ほぐすゆとり効能も期待できる。
本発明は以上のような構造である。
【手続補正８】
【補正対象書類名】明細書
【補正対象項目名】０００７
【補正方法】変更
【補正の内容】
【０００７】
【図１】本発明の断面図及び正面図他部分詳細図である
【図２】本発明の冷却袋である
【図３】本発明の斜視図である
【手続補正９】
【補正対象書類名】明細書
【補正対象項目名】０００８
【補正方法】変更
【補正の内容】
【０００８】１    ガイドシールリング
２    キャップ
３    冷却袋
４    通気口弁（吸引用）
５    通気口弁（吸引及び戻し用）
【手続補正１０】
【補正対象書類名】図面
【補正対象項目名】全図
【補正方法】変更
【補正の内容】
【図１】
2013169452.tif 000003
【図２】
2013169452.tif 000004
【図３】
2013169452.tif 000005